(57)【要約】      （修正有）【課題】水硬性材料を効率よく積載し、安定した運搬、保管等を行なうことができる水硬性材料包装成型物および製造方法の提供。【解決手段】セメントからなる水硬性材料３が収容された真空包装用材料からなる容器５を型内に載置した状態で少なくとも該容器５の内部を減圧させ、ついで、該容器を封緘し、該容器を成型する。該型は雌型６と該雌型６と対合する雄型１３とからなり、雄型１３と雌型６により成型された２以上の水硬性材料成型物同士が係合可能な構造を形成させる。【選択図】図２
2007268768.tif 000002
【特許請求の範囲】
【請求項１】
水硬性材料が収容された真空包装用材料からなる容器を型内に載置した状態で少なくとも該容器の内部を減圧させ、ついで、該容器を封緘し、該容器を成型することを特徴とする、水硬性材料包装成型物の製造方法。
【請求項２】
該型が、雌型と該雌型と対合する雄型とからなる型である、請求項１記載の水硬性材料包装成型物の製造方法。
【請求項３】
該雄型と雌型とにより、２以上の成型された産物同士が係合可能な構造を形成させる、請求項２記載の水硬性材料包装成型物の製造方法。
【請求項４】
該水硬性材料が、セメントである、請求項１〜３いずれか１項に記載の水硬性材料包装成型物の製造方法。
【請求項５】
請求項１〜４いずれか１項に記載の水硬性材料包装成型物の製造方法により得られてなる、水硬性材料包装成型物。
【発明の詳細な説明】
【技術分野】
【０００１】
本発明は、水硬性材料包装成型物及びその製造方法に関する。より詳しくは、本発明は、例えば、セメント等の水硬性材料を、効率的に、安定した運搬及び／又は保管を行なうことができる、水硬性材料包装成型物及びその製造方法に関する。
【背景技術】
【０００２】
水硬性材料は、土木建築材料等として広く用いられている。前記水硬性材料、例えば、セメントの場合、該セメントの運搬は、該セメントを、トンパック、セメント用紙袋等で梱包し、袋セメントととして、トラック等の荷台に積載し、輸送すること等により行なわれている。また、この場合、梱包された水硬性材料、例えば、セメントは、倉庫等に山積みにされ、保管されている。
【０００３】
しかしながら、例えば、トンパック、セメント用紙袋等に梱包されたセメント等は、運搬に際し、積載効率が悪く、また、振動等により荷崩れを起こす場合や、落下等により、トンパック、セメント用紙袋等が破裂する場合があるという問題点がある。さらに、前記トンパック、セメント用紙袋等に梱包されたセメント等は、高温、高湿度等の環境条件への曝露等により、品質が低下するという問題点がある。また、前記環境条件への曝露等を避けた場合でも、トンパック、セメント用紙袋等から大気中に含まれる水分が浸透し、該水分とトンパック、セメント用紙袋等の内部のセメントとが接触することがあるため、トンパック、セメント用紙袋等に梱包されたセメントが、大気中の水との接触により風化され、数ヶ月程度しか良好な品質を維持できない場合があるという問題点がある。
【発明の開示】
【発明が解決しようとする課題】
【０００４】
本発明は、上記従来の技術の問題点に鑑みてなされたものであり、水硬性材料の運搬及び／又は保管時における積載効率を向上させること、荷崩れを防止すること、該水硬性材料の運搬及び／又は保管時における防湿性を向上させること等の少なくともいずれかを達成しうる、水硬性材料包装成型物の製造方法を提供することを１つの課題とする。また、本発明は、水硬性材料、例えば、袋セメント等を効率よく積載すること、該水硬性材料の安定した運搬及び／又は保管を行なうこと等の少なくともいずれかを達成しうる、水硬性材料包装成型物を提供することをさらなる課題とする。なお、本発明の他の課題は、本明細書の記載から明らかである。
【課題を解決するための手段】
【０００５】
すなわち、本発明は、前記課題に鑑みてなされたものであり、１つの側面では、水硬性材料が収容された真空包装用材料からなる容器を型内に載置した状態で少なくとも該容器の内部を減圧させ、ついで、該容器を封緘し、該容器を成型することを特徴とする、水硬性材料包装成型物の製造方法に関する。また、本発明は、他の側面では、本発明の製造方法により得られた水硬性材料包装成型物に関する。
【発明の効果】
【０００６】
本発明の水硬性材料包装成型物の製造方法によれば、水硬性材料の運搬及び／又は保管時における積載効率を向上させることができる水硬性材料包装成型物を製造することができるという優れた効果を奏する。また、本発明の水硬性材料包装成型物の製造方法によれば、水硬性材料の運搬及び／又は保管時における荷崩れを防止することができる水硬性材料包装成型物を製造することができるという優れた効果を奏する。さらに、本発明の水硬性材料包装成型物の製造方法によれば、水硬性材料の運搬及び／又は保管時における防湿性を向上させることができる水硬性材料包装成型物を製造することができるという優れた効果を奏する。また、本発明の水硬性材料包装成型物によれば、水硬性材料、例えば、袋セメント等を効率よく積載することができるという優れた効果を奏する。また、本発明の水硬性材料包装成型物によれば、水硬性材料の安定した運搬及び／又は保管を行なうことができるという優れた効果を奏する。
【発明を実施するための最良の形態】
【０００７】
本発明は、１つの側面では、水硬性材料が収容された真空包装用材料からなる容器を型内に載置した状態で少なくとも該容器の内部を減圧させ、ついで、該容器を封緘し、該容器を成型することを特徴とする、水硬性材料包装成型物の製造方法に関する。
【０００８】
本発明の製造方法は、水硬性材料が収容された真空包装用材料からなる容器を型内に載置した状態で少なくとも該容器の内部を減圧させ、該容器を封緘する工程が行なわれることに１つの大きな特徴がある。したがって、本発明の製造方法によれば、かかる工程が行なわれるため、型に載置された前記容器が、型に合わせて所定の形状に成型される。
【０００９】
本発明の製造方法において、減圧は、容器の内部が真空状態になるまで行なわれる。本明細書においては、かかる「真空状態」とは、標準状態から減圧された状態を指し、好ましくは、１０Ｐａ〜１０4Ｐａ、より好ましくは、１０2Ｐａ〜１０3Ｐａの状態をいう。本発明の製造方法においては、水硬性材料が収容された真空包装用材料からなる容器の内部を減圧させる工程（減圧工程）が行なわれるため、容器内に含まれることのある水分、空気等を除去することができる。そのため、本発明の製造方法によれば、水硬性材料を長期間安定的に保管することが可能な水硬性材料包装成型物を簡便に得ることができるという優れた効果を発揮する。また、本発明の製造方法によれば、大気中の空気、水分等と、水硬性材料との接触を実質的に抑制することが可能な水硬性材料包装成型物を得ることができる。
【００１０】
また、本明細書において、「復圧」とは、前記真空状態から常圧、例えば、１０１３２５Ｐａ〔温度０℃〕の状態にすることをいう。
【００１１】
本発明の製造方法においては、減圧工程が行なわれるため、該水硬性材料を減容させることができるとともに、得られる水硬性材料包装成型物の形状の変形を防止することができる。そのため、本発明の製造方法によれば、より高い積載効率で、水硬性材料の運搬及び／又は保管を行なうことができる水硬性材料包装成型物を得ることができるという優れた効果を発揮する。
【００１２】
本発明の製造方法に用いられうる型としては、型枠のみからなる型、雌型と該雌型と対合する雄型とからなる型等が挙げられる。本発明の製造方法において、型として、雌型と該雌型と対合する雄型とからなる型を用いた場合、より積載効率の高い水硬性材料包装成型物を得ることができる。
【００１３】
本発明の製造方法の１つの実施態様としては、具体的には、例えば、
（Ａ）真空チャンバー内の型内に載置された真空包装用材料からなる容器に、水硬性材料を収容する工程、
（Ｂ）前記工程（Ａ）で水硬性材料が収容された容器を真空状態に維持し、ついで、該容器の開口を封緘する工程、及び
（Ｃ）真空チャンバー内を復圧させる工程、
を含む方法が挙げられる。
【００１４】
また、本発明の製造方法の他の実施態様としては、具体的には、例えば、
（ａ）真空チャンバー内の雌型内に載置された真空包装用材料からなる容器に、水硬性材料を収容する工程、
（ｂ）前記工程（ａ）で水硬性材料が収容された容器を真空状態に維持し、ついで、該容器の開口を封緘する工程、及び
（ｃ）雄型と雌型とにより前記工程（ｂ）で封緘された容器を挟むように、雄型を雌型に嵌入させ、ついで、真空チャンバー内を復圧させる工程、
を含む方法が挙げられる。なお、かかる実施態様の製造方法においては、前記工程（ｂ）及び（ｃ）に代えて、
（ｂ’）前記工程（ａ）で水硬性材料が収容された容器を真空状態に維持する工程、及び
（ｃ’）雄型と雌型とにより前記工程（ｂ’）で封緘された容器を挟むように、雄型を雌型に嵌入させ、ついで、容器を成型する工程、及び
（ｄ）前記工程（ｃ’）で成型された容器の開口を封緘し、ついで、真空チャンバー内を復圧させる工程、
を行なってもよい。
【００１５】
本発明の製造方法には、例えば、図１及び図２に例示される真空包装装置１等が用いられうる。なお、本発明の製造方法に用いられる真空包装装置は、かかる図に示されるものに限定されるものではない。図１は、
減圧バルブ９を介して設けられた真空ポンプ１０と復圧バルブ１１とを有する減圧自在の真空チャンバー２と、
水硬性材料を貯留する水硬性材料貯留部３と、
該真空チャンバー２の内部に連通して設けられた圧力センサ４と、
を備え、
該真空チャンバー２の内部に、真空包装用材料からなる容器５を内部に保持しうる型（雌型６）と、該容器５の開口を封緘するシール装置７とを有し、
該水硬性材料貯留部３から真空チャンバー２に水硬性材料供給部８が挿通され、
該水硬性材料供給部８には、水硬性材料供給バルブ１２が設けられた真空包装装置である。また、図２は、図１に示される真空包装装置１において、真空包装用材料からなる容器５を内部に保持しうる型（雌型６）に対合する雄型１３を有する装置を示す。
【００１６】
前記真空チャンバー２は、減圧条件に耐えうるものであればよく、その形状、材質等に特に限定されるものではなく、適宜選択されうる。また、前記真空チャンバー２は、内部に前記真空包装用材料からなる容器を保持できる大きさであればよい。
【００１７】
前記真空ポンプ１０は、減圧バルブ９を介して前記真空チャンバー２と連結され、減圧バルブ９から真空チャンバー２内の空気を脱気するように配されている。前記真空ポンプ１０には、慣用のものが用いられうる。
【００１８】
前記シール装置７としては、前記容器５の開口を封緘できるものであればよく、例えば、ヒートシーラー等が挙げられる。
【００１９】
前記雌型６及び雄型１３は、それぞれ、好ましくは、雌型６と雄型１３とにより、２以上の成型された産物同士を効率よく積載させうる構造を形成させる形状を有する型である。前記「２以上の成型された産物同士を効率よく積載させうる構造」としては、例えば、四角柱体構造、六角柱体構造、上部と下部とに同じ波形が付された構造、２以上の成型された産物が支持体に係合することにより該産物同士を安定的に積載できる構造等が挙げられる。
【００２０】
また、用いられる水硬性材料の種類が同じであれば、容器５への該水硬性材料の供給量や、得られた水硬性材料包装成型物の減容度は、一定となるため、前記水硬性材料供給部８には、一定量の水硬性材料を自動的に供給する自動供給装置がさらに設けられていてもよい。これにより、簡便かつ迅速に、均質な水硬性材料包装成型物を得ることができる。
【００２１】
本発明の製造方法において、図２に示される真空包装装置を用いる場合、水硬性材料包装成型物は、例えば、
１）  容器５を、真空チャンバー２内の雌型６に載置し、水硬性材料貯留部３から真空チャンバー２に挿通された水硬性材料供給部８と容器５の開口とを接続させる工程、
２）  水硬性材料供給バルブ１２を開き、水硬性材料貯留部３から水硬性材料供給部８を介して、水硬性材料を、前記工程１）で載置された容器５内に導入し、該容器５が全体的に雌型６と密着するまで水硬性材料が収容されたときに水硬性材料供給バルブ１２を閉じることにより、水硬性材料の供給を行なう工程、
３）  減圧バルブ９を開き、真空ポンプ１０により、前記工程２）の後の真空チャンバー２内を減圧させ、真空チャンバー２の内部に連通して設けられた圧力センサ４からの真空チャンバー２内の圧力状態の情報に応じて、減圧バルブ１１を閉じ、それにより、真空チャンバー２内を、例えば、２００Ｐａの真空状態に調整する工程、
４）  シール装置７により、前記工程３）の後の容器５を、封緘する工程、
５）  雌型６に雄型１３をはめ込み、それにより、該雄型１３を容器５の上に載置する工程、及び
６）  復圧バルブ１１を開いて、真空チャンバー２内部の減圧状態を常圧に戻し、それとともに、雌型６と雄型１３とにより、前記工程５）の容器５を挟むように、雄型７を雌型１３に嵌入させる工程、
を行なうこと等により得られる。ここで、前記工程３）では、真空チャンバー２内が真空状態にされ、それに伴い、前記容器５の内部が真空状態になる。加えて、前記工程３）では、水分が存在していた場合には、前記容器の内側から、水分が除去される。また、前記工程５）では、真空チャンバー２内の復圧に伴い雄型１３が押圧されて、容器５に所定の形状が付与される。前記形状としては、例えば、四角柱、六角柱、上部と下部とに同じ波形が付された形状、支持体に係合可能な形状等が挙げられる。
【００２２】
また、本発明の製造方法では、真空チャンバーを有するものではなく、真空包装材料からなる容器のみを真空状態にすることができる真空包装装置であってもよい。
【００２３】
前記真空包装用材料からなる容器５は、目的とする保管期間所定の真空度を保持できるよう、要求性能に応じて、空気遮断性（例えば、二酸化炭素遮断性、酸素遮断性等）等を示す物質からなる単独材料又は少なくとも２種の前記単独材料の組み合わせからなる積層体材料を選定すればよい。前記真空包装用材料としては、具体的には、例えば、ポリアミド系樹脂、シリコン、ポリ塩化ビニルデン、ポリプロピレン、ポリオレフィン、アルミニウム、エチレンビニルアルコール、ナイロン、ポリエチレンテフタレート、ポリエチレン等のうちの１種の物質、該物質の混合物及び該物質から得られる化合物のいずれかからなる単独材料又は少なくとも２種の前記単独材料の層が積層された積層体材料等が挙げられる。より具体的には、前記真空包装用材料としては、例えば、ナイロンからなる単独材料の層とポリプロピレンからなる単独材料の層とが積層された積層体材料、アルミニウムからなる単独材料の層とポリエチレンテフタレートからなる単独材料の層とポリエチレンからなる単独材料の層とが積層された積層体材料等が挙げられる。前記容器の形状としては、例えば、袋状、箱状等が挙げられる。
【００２４】
なお、本発明の製造方法において、前記真空包装用材料からなる容器の内側には、セメント袋として慣用のクラフト紙袋等の水硬性材料を収容するための慣用の水硬性材料収容用容器を収容し、かつ該水硬性材料収容用容器内に水硬性材料を収容することにより、容器を二重の状態となるようにしてもよい。これにより、より高い安定性で、より長期間にわたって、水硬性材料を保管することができる水硬性材料包装成型物を得ることができる。前記クラフト紙袋としては、例えば、ＪＩＳ  Ｚ１５０５（１９９９年）  「クラフト紙袋−セメント用」等が挙げられる。
【００２５】
前記水硬性材料としては、例えば、セメント、石膏、高炉スラグ微粉末やフライアッシュ等のコンクリート用混和材、コンクリート用膨張材、左官用モルタル、建築仕上材、充填材、グラウト材等が挙げられる。前記セメントとしては、具体的には、例えば、普通、早強、超早強、白色、耐硫酸塩、中庸熱、低熱等の各種ポルトランドセメント、該ポルトランドセメントに高炉スラグ、フライアッシュ等を混合した混合セメント；ジェットセメント、アルミナセメント等の特殊セメント；セメント系固化材等が挙げられる。
【００２６】
本発明は、他の側面では、前記製造方法により得られる水硬性材料包装成型物に関する。
【００２７】
本発明の水硬性材料包装成型物は、本発明の製造方法により得られたものであり、積載しやすい形状を有する。そのため、本発明の水硬性材料包装成型物によれば、水硬性材料、例えば、袋セメント等を効率よく積載することができる。また、本発明の水硬性材料包装成型物によれば、該水硬性材料包装成型物を積載した場合、積載された２以上の水硬性材料包装成型物が係合した状態で安定的に維持されるため、振動等に対して安定であり、前記水硬性材料の安定した運搬及び／又は保管を行なうことができる。
【００２８】
また、本発明の水硬性材料包装物は、例えば、従来の袋入りセメントに比べ、同重量での容積が顕著に小さいという優れた効果を発揮する。したがって、本発明の水硬性材料包装物は、保管や運搬時における省スペース化の点でも有利である。
【００２９】
本発明の水硬性材料包装成型物としては、例えば、四角柱体、六角柱体、上部と下部とに同じ波形が付された構造体、２以上の成型された産物が支持体に係合することにより該産物同士を安定的に積載できる構造体等が挙げられる。本発明の水硬性材料包装成型物としては、具体的には、例えば、図３に例示される四角柱体の水硬性材料包装成型物、図４に例示される上部と下部とに同じ波形が付された構造体の水硬性材料包装成型物、図５に例示される六角柱体の水硬性材料包装成型物、図６に例示される２以上の成型された産物が支持体に係合することにより該産物同士を安定的に積載できる構造体等が挙げられる。なかでも、運搬時における安定性及び製造の簡便性の観点から、好ましくは、上部と下部とに波形が付された構造体、及び２以上の成型された産物同士が支持体を介して係合可能な構造体が望ましい。
【００３０】
図３に示される四角柱体の水硬性材料包装成型物は、均質な寸法及び形状を有するものであるため、図３のパネル（Ａ）に示されるように、整列させて積載されてもよい。これにより、かかる水硬性材料包装成型物によれば、高い安定性、及び高い効率での積載が可能になる。また、運搬に際しては、進行方向に対する積載状態の安定化の観点から、前記直方体の水硬性材料包装成型物は、パネル（Ｂ）に示されるように、運搬用車両等の荷台上、運搬車両の進行方向に対して直行する列における水硬性材料包装物の積載数を一列毎に繰り返し入れ子にし、一列毎に水硬性材料包装成型物の大きさよりも小さい幅ずらすことにより、積載されてもよい。
【００３１】
図４は、上部と下部とに波形が付された構造体の水硬性材料包装成型物の正面図である。図４に示される上部と下部とに波形が付された構造体の水硬性材料包装成型物１４は、２以上の水硬性材料包装成型物１４を、互いに、付された波形により係合させるとともに、同様の波形が付された積載台１５の波形にさらに係合させることにより、積載されうる。そのため、運搬に際して、上部と下部とに波形が付された構造体の水硬性材料包装成型物を上記のように積載させた場合、運搬に際して、振動等による荷崩れ等が抑制される。
【００３２】
図５は、運搬用車両の荷台に積載された六角柱体の水硬性材料包装成型物の平面図である。図５に示される六角柱体の水硬性材料包装成型物１６は、荷台１７上に、ハニカム構造状に積載させることができるため、インターロッキング作用により振動等の外的な物理的な力に対して安定であり、優れた強度を示しうる点で有利である。
【００３３】
図６は、着脱可能に支持体を抱持する形状を有し、２以上の成型された産物が支持体に係合することにより該産物同士を安定的に積載できる構造体の水硬性材料包装成型物の概略図であり、パネル（Ａ）は、平面図、パネル（Ｂ）は、正面図を示す。図６に示される２以上の成型された産物が支持体に係合することにより該産物同士を安定的に積載できる構造体の水硬性材料包装成型物１８は、着脱可能に支持体１９を抱持する構造を有するため、１つの支持体１９に２以上の水硬性材料包装成型物１８を抱持させて、積載させることができ、振動等の外的な物理的な力に対して安定であり、落下等を抑制できる点で有利である。
【００３４】
本発明の水硬性材料包装成型物は、真空包装用材料からなる容器の内部に、水硬性材料が真空状態で維持されているため、本発明の水硬性材料包装成型物によれば、水硬性材料と大気中の水分、空気等との接触が実質的に抑制できる。そのため、本発明の水硬性材料包装物によれば、水硬性材料を、長期間にわたって保管することも可能になるという優れた効果を発揮する。また、本発明の水硬性材料包装成型物によれば、水硬性材料が真空状態で保持されているため、通常状態（非真空状態）において容器内に含まれうる水分による該水硬性材料の風化が実質的に抑制され、該水硬性材料の品質を良好な状態で安定的に維持して該水硬性材料を保管することができる。
【産業上の利用可能性】
【００３５】
本発明によれば、水硬性材料の安定した運搬、保管等を行なうことができる。
【図面の簡単な説明】
【００３６】
【図１】図１は、真空包装装置の概略説明図を示す。
【図２】図２は、真空包装装置の概略説明図を示す。
【図３】図３は、四角柱体の水硬性材料包装成型物の概略説明図を示す。
【図４】図４は、上部と下部とに同じ波形が付された構造体の水硬性材料包装成型物の概略説明図である。
【図５】図５は、六角柱体の水硬性材料包装成型物の概略説明図を示す。
【図６】図６は、２以上の成型された産物が支持体に係合することにより該産物同士を安定的に積載できる構造体の概略説明図を示す。
【符号の説明】
【００３７】
１    真空包装装置
２    真空チャンバー
３    水硬性材料貯留部
４    圧力センサ
５    容器
６    雌型
７    シール装置
８    水硬性材料供給部
９    減圧バルブ
１０    真空ポンプ
１１    復圧バルブ
１２    水硬性材料供給バルブ
１３    雄型
【図１】
2007268768.tif 000003
【図２】
2007268768.tif 000004
【図３】
2007268768.tif 000005
【図４】
2007268768.tif 000006
【図５】
2007268768.tif 000007
【図６】
2007268768.tif 000008